(57)【要約】  【課題】  複数の操作スイッチを有効に利用することが可能であり、各種の処理命令を実行させるためにユーザが行なうキー操作を簡略化することが可能である電気機器を提供する。  【解決手段】  液晶テレビ２において、赤外線受光部２３は、リモコン装置から受光した赤外線を電気信号に変換し、リモコンコード解析部２４は、赤外線受光部２３が変換した電気信号を解析して対応するコード信号を取得する。このコード信号がＲＡＭ２２のユーザ登録情報２２ａにおいてユーザ登録されていない場合、制御部２０は、このコード信号に対応する処理命令をＲＯＭ２１からＲＡＭ２２に読み出して実行する。一方、リモコンコード解析部２４が取得したコード信号がユーザ登録情報２２ａにおいてユーザ登録されている場合、制御部２０は、このコード信号に対応する処理命令をユーザ登録情報２２ａから特定し、特定した処理命令をＲＯＭ２１からＲＡＭ２２に読み出して実行する。【選択図】        図１
2005341318.tif 000002
【特許請求の範囲】
【請求項１】
コード信号が割り当てられた複数の操作スイッチを有する遠隔操作機からコード信号を受け付けるコード受付部と、コード信号に対応する処理命令を規定したテーブルを記憶する記憶手段と、前記コード受付部が受け付けたコード信号に対応する処理命令を前記テーブルに基づいて特定して実行する実行手段とを備える電気機器において、
前記テーブル中に対応する処理命令が規定されていないコード信号に対応させる処理命令を受け付ける受付手段と、
該受付手段が受け付けた処理命令を前記コード信号に対応させて前記テーブルに登録する登録手段と
を備えることを特徴とする電気機器。
【請求項２】
前記テーブル中に対応する処理命令が規定されていないコード信号に係る操作スイッチの種類および前記実行手段が実行する処理命令を表記するメニュー画像を作成する作成手段と、
該作成手段が作成したメニュー画像を、外部の表示装置に接続される接続部から出力する出力手段と
を備えることを特徴とする請求項１に記載の電気機器。
【請求項３】
前記テーブル中に対応する処理命令が規定されていないコード信号に係る操作スイッチの種類および前記実行手段が実行する処理命令を表記するメニュー画像を作成する作成手段と、
該作成手段が作成したメニュー画像を表示する表示手段と
を備えることを特徴とする請求項１に記載の電気機器。
【請求項４】
前記受付手段は、前記メニュー画像で表記される操作スイッチの種類および処理命令からそれぞれ１つの選択を対応して受け付けるように構成してあり、
前記登録手段は、前記受付手段が選択を受け付けた操作ボタンの種類に係るコード信号に対応させて、前記受付手段が選択を受け付けた処理命令を前記テーブルに登録するように構成してあることを特徴とする請求項２又は３に記載の電気機器。
【請求項５】
前記操作スイッチを操作する操作者を特定する操作者情報を受け付ける操作者情報受付手段を備え、
前記登録手段は、前記操作者情報受付手段が受け付けた操作者情報毎に、コード信号に対応する処理命令を規定するテーブルを作成する手段を備えることを特徴とする請求項１乃至４のいずれかひとつに記載の電気機器。
【請求項６】
前記実行手段は、
前記操作者情報受付手段が受け付けた操作者情報に対応するテーブルを特定する手段と、
特定したテーブルに基づいて、前記コード受付部が受け付けたコード信号に対応する処理命令を特定して実行する手段と
を備えることを特徴とする請求項５に記載の電気機器。
【発明の詳細な説明】
【技術分野】
【０００１】
本発明は、複数の操作スイッチのそれぞれから受け付けたコード信号に対応する処理命令を実行する電気機器に関するものである。
【背景技術】
【０００２】
テレビジョン放送信号を受信するテレビジョン装置、該テレビジョン装置に接続され、受信したテレビジョン放送信号を記録媒体に記録し、必要に応じて接続されたテレビジョン装置で再生する記録再生装置等の各種の電子機器が普及している。テレビジョン装置のユーザは、テレビジョン装置に表示された映像をテレビジョン装置のモニタからある程度離れた位置で視聴することが好ましい。従って、テレビジョン装置又は記録再生装置は、リモートコントロール装置（以下、リモコン装置という）による遠隔操作が可能に構成されている。
【０００３】
また、各種の電子機器の多機能化が目覚しく、このような装置が備える夫々の機能における各種の設定条件をユーザが適切に設定することにより、ユーザが所望する設定条件にて各種の機能を有効に動作させることができる。テレビジョン装置においては、例えば、テレビジョン装置のモニタの明るさをユーザが見易い明るさに変更することができる。このような設定条件は、各設定条件を設定するためにモニタに表示させるメニュー画面を順次切り替えて所望のメニュー画面を表示させ、このメニュー画面の指示に従って設定することができる。なお、各設定条件の設定も、リモコン装置を操作することによって行なうことができる（例えば、特許文献１参照）。
【特許文献１】特開２０００−５９７０４号公報
【発明の開示】
【発明が解決しようとする課題】
【０００４】
しかし、各種の電子機器には多数の機能が搭載されており、上述したようにそれぞれの機能における設定条件をユーザが必要に応じて設定する場合には、所望のメニュー画面を表示させるために非常に煩雑なキー操作を強いられると共に、十分な操作時間を要するという問題がある。
【０００５】
一方、例えば、記録媒体に磁気テープを用いるビデオカセットレコーダ（ＶＣＲ）を遠隔操作するリモコン装置は、通常、ＶＣＲを操作するための操作ボタンと、テレビジョン装置を操作するための操作ボタンとを装備している。しかし、ユーザは、実際にＶＣＲを操作する場合に、ＶＣＲ用の操作ボタンの操作しか行なっていない場合が多く、テレビジョン装置用の操作ボタンが有効に利用されていないという問題がある。
【０００６】
本発明は斯かる事情に鑑みてなされたものであり、複数の操作ボタンを有効に利用することができると共に、各種の処理命令を実行させるために行なうユーザによるキー操作を簡略化することができる電気機器を提供することを本発明の目的とする。
【課題を解決するための手段】
【０００７】
本発明に係る電気機器は、コード信号が割り当てられた複数の操作スイッチを有する遠隔操作機からコード信号を受け付けるコード受付部と、コード信号に対応する処理命令を規定したテーブルを記憶する記憶手段と、前記コード受付部が受け付けたコード信号に対応する処理命令を前記テーブルに基づいて特定して実行する実行手段とを備える電気機器において、前記テーブル中に対応する処理命令が規定されていないコード信号に対応させる処理命令を受け付ける受付手段と、該受付手段が受け付けた処理命令を前記コード信号に対応させて前記テーブルに登録する登録手段とを備えることを特徴とする。
【０００８】
本発明による場合は、遠隔操作機が有する複数の操作スイッチのそれぞれに割り当てられたコード信号に対応する処理命令を規定したテーブルを記憶手段に記憶しており、前記操作スイッチから受け付けたコード信号に対応する処理命令を前記テーブルに基づいて特定して実行する電気機器が、前記テーブル中に対応する処理命令が規定されていないコード信号に対応させる処理命令を受け付け、受け付けた処理命令を前記コード信号に対応させて前記テーブルに登録する。よって、テーブル中に対応する処理命令が規定されていないコード信号に係る操作スイッチに対して、実行させる処理命令を登録することが可能となる。
【０００９】
本発明に係る電気機器は、前記テーブル中に対応する処理命令が規定されていないコード信号に係る操作スイッチの種類および前記実行手段が実行する処理命令を表記するメニュー画像を作成する作成手段と、該作成手段が作成したメニュー画像を、外部の表示装置に接続される接続部から出力する出力手段とを備えることを特徴とする。
【００１０】
本発明による場合は、操作スイッチのそれぞれに割り当てられたコード信号に対応する処理命令を規定したテーブル中に対応する処理命令が規定されていないコード信号に係る操作スイッチの種類および各種の処理命令を表記するメニュー画像を作成し、作成したメニュー画像を、外部の表示装置に接続される接続部から出力する。よって、外部の表示装置に表示させたメニュー画像に従って、前記テーブル中に対応する処理命令が規定されていないコード信号に係る所望の操作スイッチ及び、該操作スイッチに対応して登録させる処理命令を容易に選択することが可能となる。
【００１１】
本発明に係る電気機器は、前記テーブル中に対応する処理命令が規定されていないコード信号に係る操作スイッチの種類および前記実行手段が実行する処理命令を表記するメニュー画像を作成する作成手段と、該作成手段が作成したメニュー画像を表示する表示手段とを備えることを特徴とする。
【００１２】
本発明による場合は、操作スイッチのそれぞれに割り当てられたコード信号に対応する処理命令を規定したテーブル中に対応する処理命令が規定されていないコード信号に係る操作スイッチの種類および各種の処理命令を表記するメニュー画像を作成し、作成したメニュー画像を表示する。よって、表示されたメニュー画像に従って、前記テーブル中に対応する処理命令が規定されていないコード信号に係る所望の操作スイッチ及び、該操作スイッチに対応して登録させる処理命令を容易に選択することが可能となる。
【００１３】
本発明に係る電気機器は、前記受付手段は、前記メニュー画像で表記される操作スイッチの種類および処理命令からそれぞれ１つの選択を対応して受け付けるように構成してあり、前記登録手段は、前記受付手段が選択を受け付けた操作ボタンの種類に係るコード信号に対応させて、前記受付手段が選択を受け付けた処理命令を前記テーブルに登録するように構成してあることを特徴とする。
【００１４】
本発明による場合は、外部の表示装置または自身の表示手段によって表示されるメニュー画像で表記される操作スイッチの種類および処理命令からそれぞれ１つの選択を対応して受け付け、選択を受け付けた操作ボタンの種類に係るコード信号に対応させて、選択を受け付けた処理命令を前記テーブルに登録する。よって、表示されるメニュー画面に従って、容易に選択された操作スイッチに係るコード信号に、対応して選択された処理命令を登録することが可能となる。
【００１５】
本発明に係る電気機器は、前記操作スイッチを操作する操作者を特定する操作者情報を受け付ける操作者情報受付手段を備え、前記登録手段は、前記操作者情報受付手段が受け付けた操作者情報毎に、コード信号に対応する処理命令を規定するテーブルを作成する手段を備えることを特徴とする。
【００１６】
本発明による場合は、操作スイッチを操作する操作者を特定する操作者情報毎に、前記テーブル中に対応する処理命令が規定されていないコード信号に係る操作スイッチのそれぞれに、対応する処理命令を登録することにより、それぞれの操作スイッチの操作によって実行させる処理命令を、それぞれのユーザ毎に異ならせることが可能となる。
【００１７】
本発明に係る電気機器は、前記実行手段は、前記操作者情報受付手段が受け付けた操作者情報に対応するテーブルを特定する手段と、特定したテーブルに基づいて、前記コード受付部が受け付けたコード信号に対応する処理命令を特定して実行する手段とを備えることを特徴とする。
【００１８】
本発明による場合は、受け付けた前記操作スイッチを操作する操作者を示す操作者情報に対応するテーブルを特定し、特定したテーブルに基づいて、操作スイッチから受け付けたコード信号に対応する処理命令を特定して実行することにより、各ユーザ毎に、それぞれの操作スイッチに割り当てられた処理命令を、対応するユーザに応じて適切に実行することが可能となる。
【発明の効果】
【００１９】
本発明では、遠隔操作機が有する複数の操作スイッチのそれぞれに割り当てられたコード信号に対応する処理命令を規定したテーブルを記憶しておき、前記操作スイッチから受け付けたコード信号に対応する処理命令を前記テーブルに基づいて特定して実行する電気機器において、前記テーブル中に対応する処理命令が規定されていないコード信号に、任意の処理命令を登録することができることにより、操作スイッチに予め割り当てられていない所望の処理命令を、所望の操作スイッチに割り当てることができ、各処理命令の実行指示を行なう際のユーザのキー操作を簡略化することができる。
【００２０】
本発明では、操作スイッチのそれぞれに割り当てられたコード信号に対応する処理命令を規定したテーブル中に対応する処理命令が規定されていないコード信号に係る操作スイッチの種類および各種の処理命令を表記するメニュー画像を外部の表示装置または自身の表示手段で表示させる。また、このようなメニュー画像に従って、ユーザは、前記テーブル中に対応する処理命令が規定されていないコード信号に係る所望の操作スイッチ及び、該操作スイッチに対応して登録させる処理命令を容易に選択することができる。また、このように選択された操作スイッチに係るコード信号に、対応して選択された処理命令を割り当てて登録することができる。
【００２１】
本発明では、操作スイッチを操作する操作者を特定する操作者情報毎に、前記テーブル中に対応する処理命令が規定されていないコード信号に係る操作スイッチのそれぞれに、対応する処理命令を登録することにより、各ユーザ毎に、それぞれの操作スイッチの操作によって実行させる処理命令を任意に割り当てることができる。また、このように各ユーザ毎に、それぞれに操作スイッチに割り当てられた処理命令を、対応するユーザに応じて適切に実行することができる。
【発明を実施するための最良の形態】
【００２２】
以下に、本発明に係る電気機器を、その実施の形態である記録再生装置および液晶表示テレビジョン装置（以下、液晶テレビという）を示す図面に基づいて詳述する。図１は本発明に係る電気機器としての記録再生装置および液晶テレビの構成例を示すブロック図である。図中１は本発明の電気機器としての記録再生装置を、２は本発明の電気機器としての液晶テレビをそれぞれ示している。記録再生装置１は液晶テレビ２に接続して利用され、記録再生装置１が録画した放送番組を液晶テレビ２によって再生させることができる。なお、記録再生装置１及び液晶テレビ２はそれぞれ、リモートコントロール装置（以下、リモコン装置という）によって遠隔から操作することができる。
【００２３】
記録再生装置１と液晶テレビ２とは、映像信号用の映像ケーブル及び音声信号用の音声ケーブルによって接続されている。また、記録再生装置１及び液晶テレビ２は、それぞれのリモコン装置（遠隔操作機）と、赤外線を利用したＩｒＤＡ（Infrared Data Association）規格に従う無線通信が可能に構成されている。なお、記録再生装置１及び液晶テレビ２と、それぞれのリモコン装置とを、赤外線を利用した無線通信だけでなく、例えば、ＩＥＥＥ８０２．１１ｂ規格に準拠した無線ＬＡＮ、及びBluetooth規格に従う無線通信等の無線通信が可能に接続してもよい。また、以下の説明では、記録再生装置１と液晶テレビ２とを同一のリモコン装置３（図３参照）によって操作できるものとして説明する。
【００２４】
記録再生装置１は、制御部１０、ＲＯＭ１１、ＲＡＭ１２、リモコン装置３からの赤外線を受光する赤外線受光部１３、リモコンコード解析部１４、チューナ１５、記録／再生部１６、映像ケーブル及び音声ケーブルを介して液晶テレビ２と接続するための接続部１７等を備えている。
【００２５】
制御部１０は、ＣＰＵ（Central Processing Unit ）又はＭＰＵ（Micro Processor Unit）等により構成されており、接続される上述したようなハードウェア各部を制御すると共に、ＲＯＭ１１に予め格納されている制御プログラムを適宜ＲＡＭ１２に読み出して実行する。ＲＯＭ１１は、記録再生装置１を本発明に係る電気機器として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００２６】
チューナ１５は、例えばＵＨＦテレビジョン放送信号及びＶＨＦテレビジョン放送信号、ＢＳ放送信号又はＣＳ放送信号等の受信用チューナであり、それぞれ選択された放送チャンネルに応じた放送番組の番組データを、接続された記録／再生部１６へ入力する。記録／再生部１６は、制御部１０に接続されており、制御部１０からの制御に従ってチューナ１５から入力される番組データを、例えば所定箇所に装着された磁気テープ（カセットテープ）に記録し、制御部１０からの制御に従って磁気テープに記録した番組データを読み出して液晶テレビ２で再生させる。
【００２７】
赤外線受光部１３は、リモコン装置３からの赤外線を受光して所定の電気信号に変換し、得られた電気信号をリモコンコード解析部１４へ入力する。リモコンコード解析部１４は、赤外線受光部１３から入力された電気信号を解析し、リモコン装置３から入力されたコード信号を検出し、検出したコード信号を受け付けるコード受付部として動作し、取得したコード信号を制御部１０へ送出する。
【００２８】
制御部１０は、リモコン装置３から送信されてリモコンコード解析部１４によって解析されたコード信号を取得し、取得したコード信号に対応して実行すべき処理命令を、ＲＯＭ（記憶手段）１１に予め記憶してあるビデオ登録テーブル１１ａから特定し、対応する制御プログラムをＲＡＭ１２に読み出して順次実行する実行手段として動作する。
【００２９】
図２（ａ）は記録再生装置１のＲＯＭ１１に記憶してあるビデオ登録テーブル１１ａの構成例を示す模式図であり、ビデオ登録テーブル１１ａには、後述するリモコン装置３に設けられた操作ボタンをユーザが操作した場合に、リモコンコード解析部１４が解析するコード信号に対応して制御部１０が実行すべき処理命令を記憶してある。従って、制御部１０は、リモコンコード解析部１４から入力されたコード信号に対応する処理命令をビデオ登録テーブル１１ａに基づいて特定することができる。
【００３０】
液晶テレビ２は、制御部２０、ＲＯＭ２１、ＲＡＭ２２、リモコン装置３からの赤外線を受光する赤外線受光部２３、リモコンコード解析部２４、チューナ２５、ＯＳＤ（On Screen Display）回路２６、モニタ部２７、映像ケーブル及び音声ケーブルを介して記録再生装置１と接続するための接続部２８等を備えている。
【００３１】
制御部２０は、ＣＰＵ又はＭＰＵ等により構成されており、接続される上述したようなハードウェア各部を制御すると共に、ＲＯＭ２１に予め格納されている制御プログラムを適宜ＲＡＭ２２に読み出して実行する。ＲＯＭ２１は、液晶テレビ２を本発明に係る電気機器として動作させるために必要な種々の制御プログラムを予め記憶している。ＲＡＭ２２は、ＳＲＡＭ又はフラッシュメモリ等で構成され、制御部２０による制御プログラムの実行時に発生するデータを一時的に記憶する。
【００３２】
チューナ２５は、例えばＵＨＦテレビジョン放送信号及びＶＨＦテレビジョン放送信号、ＢＳ放送信号又はＣＳ放送信号等の受信用チューナであり、それぞれ選択された放送チャンネルに応じた放送番組の番組データに含まれる映像を、接続されたＯＳＤ回路２６を介してモニタ部２７へ入力する。なお、チューナ２５が受信した放送番組の番組データに含まれる音声は、図示しないスピーカへ入力されて音声出力される。
【００３３】
モニタ部２７は、複数の液晶素子を２次元マトリクス状に配列してなる液晶表示パネルにより構成されており、制御部２０からの制御に従ってＯＳＤ回路２６から入力される映像を表示する。なお、ＲＯＭ２１には、ユーザが各種の条件を設定する際にモニタ部２７に表示させるメニュー画面情報（メニュー画像）を予め記憶してあり、制御部２０は、対応するメニュー画面情報をＲＯＭ２１から読み出してＯＳＤ回路２６を介してモニタ部２７に表示させる。ＯＳＤ回路２６は、モニタ部２７に表示したチューナ２５からの映像の上に、制御部２０からのメニュー画面情報に基づくメニュー画面を表示させることができる。
【００３４】
なお、記録再生装置１のＲＯＭ１１にも同様に、記録再生装置１に関する各種のメニュー画面情報が記憶してあり、記録再生装置１の制御部１０がＲＯＭ１１から読み出して接続部１７を介して液晶テレビ２へ出力したメニュー画面情報を、液晶テレビ２の制御部２０が、ＯＳＤ回路２６へ出力することにより、記録再生装置１におけるメニュー画面を液晶テレビ２のモニタ部２７に表示させることができる。これにより、記録再生装置１のユーザは、液晶テレビ２に表示された記録再生装置１に関するメニュー画面に従って、記録再生装置１が有する各種の機能における各条件を設定することができる。
【００３５】
赤外線受光部２３は、リモコン装置３からの赤外線を受光して所定の電気信号に変換し、得られた電気信号をリモコンコード解析部２４へ入力する。リモコンコード解析部２４は、赤外線受光部２３から入力された電気信号を解析し、リモコン装置３から入力されたコード信号を検出し、検出したコード信号を受け付けるコード受付部として動作し、取得したコード信号を制御部２０へ送出する。
【００３６】
制御部２０は、リモコン装置３から送信されてリモコンコード解析部２４によって解析されたコード信号を取得し、取得したコード信号に対応して実行すべき処理命令を、ＲＯＭ（記憶手段）２１に予め記憶してあるテレビ登録テーブル２１ａから特定し、対応する制御プログラムをＲＡＭ２２に読み出して順次実行する実行手段として動作する。
【００３７】
図２（ｂ）は液晶テレビ２のＲＯＭ２１に記憶してあるテレビ登録テーブル２１ａの構成例を示す模式図であり、テレビ登録テーブル２１ａには、リモコン装置３に設けられた操作ボタンをユーザが操作した場合に、リモコンコード解析部２４が解析するコード信号に対応して制御部２０が実行すべき処理命令を記憶してある。従って、制御部２０は、リモコンコード解析部２４から入力されたコード信号に対応する処理命令をテレビ登録テーブル２１ａに基づいて特定することができる。
【００３８】
ここで、図２（ｂ）に示すように、テレビ登録テーブル２１ａは、リモコン装置３に設けられた操作ボタンから入力されるコード信号と、それぞれのコード信号に割り当てられた液晶テレビ２が実行可能な処理命令とを対応させて記憶するだけでなく、対応する処理命令が規定されていないコード信号も記憶している。具体的には、液晶テレビ２を操作するユーザが、コード信号Ｖ００１を入力するボタンＶ１を操作した場合であっても液晶テレビ２は何の処理も行なわない。なお、図２（ａ）に示すビデオ登録テーブル１１ａにおいても同様に、対応する処理命令が規定されていないコード信号が記憶されている。
【００３９】
図３はリモコン装置３の概略構成例を示す模式図である。本実施の形態のリモコン装置３は、上端部に液晶表示モニタからなる表示部３５を備えており、リモコン装置３に設けられた各種の操作ボタン（操作スイッチ）が操作された場合に、必要に応じて各種のメッセージを表示する。具体的には、記録再生装置１が行なう録画処理を予約する場合にユーザによって入力される各種の情報を表示部３５に表示させることにより、ユーザは自身が入力した予約内容を確認した後に予約内容を装置本体である記録再生装置１へ送信することができる。
【００４０】
リモコン装置３は、入力切替ボタン３０、ＴＶ操作用ボタン３１、ビデオ操作用ボタン３２、１〜１２の数字キー３３、カーソルキー３４等の複数の操作ボタンを備えており、ユーザによって操作された各操作ボタンに対応した制御信号を、赤外線を利用した無線通信により記録再生装置１または液晶テレビ２へ入力する。なお、リモコン装置３に設けられる操作スイッチは、押下することによってオン・オフすることができる押しボタン式のスイッチであってもよく、スライドさせることによってオン・オフすることができるスライド式のスイッチであってもよい。
【００４１】
入力切替ボタン３０は、「ＴＶ」ボタンと「ビデオ」ボタンとを有しており、それぞれのボタンを操作（押下）することにより、以後に操作される各操作ボタンが送信する制御信号が、液晶テレビ２に対しての信号であるか記録再生装置１に対しての信号であるかを切り替えることができる。従って、ユーザは、液晶テレビ２を遠隔操作したい場合にはＴＶボタンを操作し、記録再生装置１を遠隔操作したい場合にはビデオボタンを操作する。
【００４２】
ＴＶ操作用ボタン３１は、ユーザが入力切替ボタン３０のＴＶボタンを操作した場合に利用するボタンであり、電源ボタン、選局ボタン及び音量ボタンを有している。電源ボタンは液晶テレビ２の電源をオンする場合に操作するボタンである。選局ボタンは、「下」ボタンＴ１と「上」ボタンＴ２とを有しており、現在選択され、液晶テレビ２のモニタ部２７に表示されている映像の放送チャンネル数を、１減らす場合または１増やす場合にそれぞれ操作する。音量ボタンは、「小」ボタンＴ３と「大」ボタンＴ４とを有しており、現在スピーカから音声出力されている音量に対して、所定量を１単位として１小さくする場合または１大きくする場合にそれぞれ操作する。
【００４３】
ビデオ操作用ボタン３２は、ユーザが入力切替ボタン３０のビデオボタンを操作した場合に利用するボタンであり、電源ボタン、取出しボタン、表示切替ボタン、選局ボタン、再生ボタンＶ１、停止ボタンＶ２、巻戻しボタンＶ３、早送りボタンＶ４、録画ボタン及び一時停止ボタンを有している。電源ボタンは記録再生装置１の電源をオンする場合に操作するボタンであり、「取出し」ボタンは所定の挿入口から挿入されたカセットテープを取り出す場合に操作するボタンである。
【００４４】
表示切替ボタンは、「ＴＶ」ボタンと「ビデオ」ボタンとを有しており、液晶テレビ２のチューナ２５が取得する映像をモニタ部２７に表示させる場合にはＴＶボタンを、記録再生装置１のチューナ１５が取得する映像または記録／再生部１６に記憶してある映像を液晶テレビ２のモニタ部２７に表示させる場合にはビデオボタンをそれぞれ操作する。選局ボタンは、「下」ボタンと「上」ボタンとを有しており、現在選択され、液晶テレビ２のモニタ部２７に表示されている映像の放送チャンネル数を、１減らす場合または１増やす場合にそれぞれ操作する。
【００４５】
また、記録再生装置１のユーザは、記録再生装置１の記録／再生部１６に記録してある放送番組の映像を液晶テレビ２のモニタ部２７で再生したい場合に「再生」ボタンＶ１を操作し、モニタ部２７で再生している映像を停止させたい場合に「停止」ボタンＶ２を操作し、記録／再生部１６の所定箇所に装着されているカセットテープを巻戻しする場合に「巻戻し」ボタンＶ３を操作し、記録／再生部１６に装着されているカセットテープを早送りする場合に「早送り」ボタンＶ４を操作する。更に、ユーザは、モニタ部２７で再生している映像を一時停止させたい場合に「一時停止」ボタンを操作し、記録再生装置１のチューナ１５が受信する放送番組を記録／再生部１６に記録する際に「録画」ボタンを操作する。
【００４６】
数字キー３３は、１〜１２のそれぞれに割り当てられた放送チャンネルを選択等する際に用いるキーであり、入力切替ボタン３０のＴＶボタンが操作されている場合には、液晶テレビ２のチューナ２５が受信する放送チャンネルを選択することができ、入力切替ボタン３０のビデオボタンが操作されている場合には、記録再生装置１のチューナ１５が受信する放送チャンネルを選択することができる。カーソルキー３４は、十字キー及び決定キーを有しており、モニタ部２７に表示された記録再生装置１に関するメニュー画面または液晶テレビ２に関するメニュー画面に従って各種のデータを十字キー（または上下キー）で選択し、決定キーの操作によって選択項目を特定することができる。
【００４７】
上述したように、リモコン装置３は、ＴＶ操作用ボタン３１およびビデオ操作用ボタン３２を有しており、１つのリモコン装置３でそれぞれの機器を遠隔操作することができる。しかし、入力切替ボタン３０のＴＶボタンが操作されている場合には、ＴＶ操作用ボタン３１のみが有効であり、ビデオ操作用ボタン３２を操作しても液晶テレビ３を操作させることはできない。同様に、リモコン装置３において、入力切替ボタン３０のビデオボタンが操作されている場合には、ビデオ操作用ボタン３２のみが有効であり、ＴＶ操作用ボタン３１を操作しても記録再生装置１を操作させることはできない。
【００４８】
ここで、本実施の形態のリモコン装置３は、例えば、入力切替ボタン３０のＴＶボタンが操作されている場合に、ビデオ操作用ボタン３２の各操作ボタンにユーザが所望する処理命令を割り当てることにより、通常動作においては利用できない操作ボタンを有効に利用することができると共に、各操作ボタンを操作することのみによってユーザが所望する処理命令を実行させることを可能とする。
【００４９】
具体的には、記録再生装置１を操作している場合には、図２（ａ）で示すビデオ登録テーブル１１ａで処理命令が規定されていない操作ボタンＴ１，Ｔ２に所望の処理命令を割り当てることができる。また、液晶テレビ２を操作している場合には、図２（ｂ）で示すテレビ登録テーブル２１ａで処理命令が規定されていない操作ボタンＶ１，Ｖ２に所望の処理命令を割り当てることができる。
【００５０】
以下に、液晶テレビ２を操作するリモコン装置３の各操作ボタンのそれぞれに処理命令を割り当てるユーザ登録処理について説明する。図４はユーザ登録情報を説明するための模式図であり、ユーザは、リモコン装置３の各操作ボタンに所望の処理命令の実行指示を割り当てて登録する場合、リモコン装置３を操作して図示しているメニュー設定ボタンを操作する。これにより、液晶テレビ２の制御部２０は、ＲＯＭ２１のテレビ登録テーブル２１ａ中に対応する処理命令が規定されていないコード信号に係る操作ボタンのそれぞれの種類および制御部２０が実行可能な処理命令を表記する操作ボタン登録画面情報（メニュー画像）を作成する作成手段として動作し、作成した操作ボタン登録画面情報に基づいて、図４（ａ）に示すような操作ボタン登録画面をモニタ部（表示手段）２７に表示させる。なお、以下では、リモコン装置３における入力切替ボタン３０のＴＶボタンが操作された状態での処理に基づいて説明する。
【００５１】
モニタ部２７に表示された操作ボタン登録画面には、液晶テレビ２を操作する場合に利用していない操作ボタン、即ち、ユーザが所望の処理命令を割り当てることが可能である登録可能な操作ボタンの一覧と、登録対象の処理命令を示す登録機能の一覧とが表示される。なお、登録可能な操作ボタンの一覧および登録する機能の一覧からそれぞれ１つをカーソルキー３４によって選択して決定することにより、所望の操作ボタンに、所望の機能を割り当てることができる。
【００５２】
図４（ａ）においては、登録可能な操作ボタンとして「再生ボタン」が選択され、登録する機能として「明るさ調整」が選択されている。ここで、ユーザによりカーソルキー３４の決定キーが操作された場合、液晶テレビ２の制御部２０は、それぞれ選択された「再生ボタン」および「明るさ調整」を受け付ける受付手段として動作し、図４（ｂ）に示すようなユーザ登録情報２２ａをＲＡＭ２２に登録する登録手段として動作する。ユーザ登録情報２２ａには、図４（ｂ）に示すように、リモコン装置３に設けられた操作ボタンをユーザが操作した場合にリモコンコード解析部１４が解析するコード信号に対応して、上述したようにユーザ登録された処理命令が記憶される。
【００５３】
従って、制御部２０は、リモコンコード解析部２４が赤外線受光部２３からの電気信号を解析して得られたコード信号が、ＲＡＭ２２のユーザ登録情報２２ａに登録されているか否かを判断し、ユーザ登録情報２２ａに登録されていない場合は、リモコンコード解析部２４が検出したコード信号に対応する制御プログラムをＲＯＭ２１からＲＡＭ２２に読み出して実行するが、リモコンコード解析部２４が検出したコード信号がユーザ登録情報２２ａに登録されている場合は、リモコンコード解析部２４が検出したコード信号に対応する処理命令をＲＡＭ２２のユーザ登録情報２２ａに基づいて特定し、特定した処理命令に対応する制御プログラムをＲＯＭ２１からＲＡＭ２２に読み出して実行する。
【００５４】
なお、図４（ｂ）に示すように、ビデオ操作用ボタン３２の再生ボタンＶ１に、明るさ調整処理が割り当てられた場合、ユーザが再生ボタンＶ１を操作すると、制御部２０が、リモコンコード解析部２４からのコード信号Ｖ００１を取得し、取得したコード信号Ｖ００１に対応する処理命令をＲＡＭ２２のユーザ登録情報２２ａから特定し、この処理命令（明るさ調整）に応じた制御プログラムをＲＯＭ２１から読み出して順次実行する。この場合、制御部２０は、図４（ｃ）に示すような明るさ調整画面をモニタ部２７に表示させ、ユーザは、例えばカーソルキー３４の十字キーを用いて明るさを増減させることができる。
【００５５】
記録再生装置１においても、上述したようなユーザ登録を行なうことができ、同様の方法によって登録されるユーザ登録情報１２ａはＲＡＭ１２に記憶される。なお、記録再生装置１においては、制御部１０が、図４（ａ）に示すような操作ボタン登録画面情報（メニュー画像）を作成する作成手段として動作し、作成した操作ボタン登録画面情報を接続部１７から液晶テレビ（表示装置）２へ出力する出力手段として動作する。液晶テレビ２の制御部２０は、接続部２８から取得した操作ボタン登録画面情報をＯＳＤ回路２６へ出力し、ＯＳＤ回路２６を介してモニタ部２７に操作ボタン登録画面を表示させる。これにより、記録再生装置１のユーザは、液晶テレビ２を操作する場合と同様に、リモコン装置３の各操作ボタンにそれぞれ処理命令を割り当てることができる。
【００５６】
従って、記録再生装置１において、制御部１０は、リモコンコード解析部１４から取得するコード信号が、ＲＡＭ１２のユーザ登録情報１２ａに登録されているか否かを判断し、ユーザ登録情報１２ａに登録されていない場合は、リモコンコード解析部１４から取得したコード信号に対応する制御プログラムをＲＯＭ１１から読み出して実行し、その一方、ユーザ登録情報１２ａに登録されている場合は、リモコンコード解析部１４から取得したコード信号に対応する処理命令をユーザ登録情報１２ａに基づいて特定し、特定した処理命令に対応する制御プログラムをＲＯＭ２１から読み出して実行する。
【００５７】
以下に、上述した構成のリモコン装置３において、液晶テレビ２を操作する際にビデオ操作用ボタン３２の各操作ボタンにユーザ登録として各種の処理命令を割り当てる登録処理について説明する。図５は本発明の液晶テレビ２を操作するリモコン装置３の各ボタンに処理命令を登録する処理手順を示すフローチャートである。液晶テレビ２において、ユーザがリモコン装置３の所定の操作ボタンを操作することにより、制御部２０は、所定のメニュー画面をＲＯＭ２１から読み出し、図４（ａ）に示すような操作ボタン登録画面をモニタ部２７に表示させる（Ｓ１）。
【００５８】
操作ボタン登録画面において、ユーザはカーソルキー３４の上下キーを操作し、制御部２０は、赤外線受光部２３及びリモコンコード解析部２４を介して入力されるコード信号に基づいて、登録可能な操作ボタンの一覧から選択したい操作ボタンを指示するカーソルを順次移動させる。ユーザは上下キーを用いて、登録可能な操作ボタンの一覧から所望の操作ボタンを選択し、決定キーで所望の操作ボタンを確定する。液晶テレビ２において、制御部２０は、赤外線受光部２３及びリモコンコード解析部２４を介して入力されるコード信号に基づいて、ユーザによって決定キーが操作されたか否かを判断しており（Ｓ２）、決定キーが操作されていないと判断した場合（Ｓ２：ＮＯ）、操作ボタン登録画面の表示を続行する（Ｓ１）。
【００５９】
制御部２０は、決定キーが操作されたと判断した場合（Ｓ２：ＹＥＳ）、操作ボタン登録画面に表示された登録可能な操作ボタンのうちのカーソルが指示する操作ボタンを確定する（Ｓ３）。次に制御部２０は、確定された操作ボタンに対して登録する機能をユーザが選択できるように、登録する機能の一覧にカーソルを表示させる。ユーザは、同様にカーソルキー３４の上下キーを操作して登録する機能の一覧から選択したい機能を選択し、決定キーで所望の機能を確定する。従って、制御部２０は、赤外線受光部２３及びリモコンコード解析部２４を介して入力されるコード信号に基づいて、ユーザによって決定キーが操作されたか否かを判断しており（Ｓ４）、決定キーが操作されていないと判断した場合（Ｓ４：ＮＯ）、ユーザの操作に従って所望の機能を選択するカーソルの移動を続行する。
【００６０】
制御部２０は、決定キーが操作されたと判断した場合（Ｓ４：ＹＥＳ）、操作ボタン登録画面に表示された登録する機能のうちのカーソルキーが指示する機能を確定し（Ｓ５）、ステップＳ３で確定された操作ボタンに対応するコード信号と、ステップＳ５で確定された機能を示す処理項目（処理命令）とを対応させて、図４（ｂ）に示すようなユーザ登録情報２２ａに記憶させる（Ｓ６）。
【００６１】
以下に、上述したようにユーザの登録処理によって各操作ボタンに所望の処理命令が設定された液晶テレビ２において、リモコン装置３によって操作される場合の処理について説明する。図６は本発明の液晶テレビ２におけるリモコン装置３による操作時の処理手順を示すフローチャートである。液晶テレビ２において、赤外線受光部２３は、リモコン装置３からの赤外線を受光すべく待機しており、リモコン装置３から赤外線を受光した場合、受光した赤外線を電気信号に変換し（Ｓ１１）、リモコンコード解析部２４へ入力する。
【００６２】
リモコンコード解析部２４は、赤外線受光部２３から取得した電気信号を解析して対応するコード信号を取得し（Ｓ１２）、取得したコード信号を制御部２０へ送出する。制御部２０は、リモコンコード解析部２４から取得したコード信号がＲＡＭ２２のユーザ登録情報２２ａにおいてユーザ登録されているか否かを判断し（Ｓ１３）、ユーザ登録されていないと判断した場合（Ｓ１３：ＮＯ）、ステップＳ１２で取得したコード信号に応じた処理命令をテレビ登録テーブル２１ａから特定し、特定した処理命令をＲＯＭ２１からＲＡＭ２２に読み出して実行する（Ｓ１６）。
【００６３】
一方、制御部２０は、リモコンコード解析部２４から取得したコード信号がユーザ登録情報２２ａにおいてユーザ登録されていると判断した場合（Ｓ１３：ＹＥＳ）、リモコンコード解析部２４から取得したコード信号に対応する処理命令をユーザ登録情報２２ａから特定し（Ｓ１４）、特定した処理命令をＲＯＭ２１からＲＡＭ２２に読み出して実行する（Ｓ１５）。
【００６４】
上述したように、本発明の液晶テレビ２では、リモコン装置３が液晶テレビ２を操作する際に利用しない操作ボタン、例えばビデオ操作用ボタン３２の各操作ボタンに、液晶テレビ２における各機能を割り当てることによって、リモコン装置３に設けられた各操作ボタンを有効に利用することができる。また、各操作ボタンの操作によって、割り当てられた処理を実行させることができるため、ユーザによる操作負担を軽減することができる。
【００６５】
上述した実施の形態では、リモコン装置３において、入力切替ボタン３０のＴＶボタンを操作することによって液晶テレビ２を操作する場合に、ビデオ操作用ボタン３２を、液晶テレビ２の各機能の実行を指示できるように割り当てる構成について説明したが、入力切替ボタン３０のビデオボタンを操作することによって記録再生装置１を操作する場合に、ＴＶ操作用ボタン３１を、記録再生装置１の各機能の実行を指示できるように割り当てることもできる。また、リモコン装置３の各操作ボタンに対して各種の処理命令を割り当てる構成について説明したが、記録再生装置１および液晶テレビ２のそれぞれの装置本体に設けられている操作ボタンに対して処理命令を割り当てることもできる。
【００６６】
また、上述した記録再生装置１において、所定のメニュー画面からの設定または所定の操作ボタンの操作に基づいて現在記録再生装置１を操作している操作者（ユーザ）を特定する構成を備え、複数のユーザのそれぞれに対応して、各操作ボタンに処理命令を割り当てる構成とすることもできる。図７は複数のユーザに対応するユーザ登録処理を説明するための模式図である。この場合の操作ボタン登録画面では、図７（ａ）に示すように、各ユーザ（ユーザ１、ユーザ２、ユーザ３）毎に、所望の処理命令を割り当てることが可能な操作ボタンと、登録対象の処理命令とをそれぞれ１つ対応して選択することができる。
【００６７】
この場合、制御部１０は、図７（ａ）に示すような操作ボタン登録画面に従って、記録再生装置１を操作する操作者を特定する操作者情報、具体的には、ユーザ１、ユーザ２及びユーザ３のいずれかを受け付ける操作者情報受付手段として動作し、受け付けた操作者情報毎に、選択された操作ボタンに、選択された処理命令の実行指示を割り当て、ユーザ登録情報１２ａとしてＲＡＭ１２に記憶させる。
【００６８】
従って、このようにユーザ毎にユーザ登録情報１２ａがＲＡＭ１２に登録された記録再生装置１において、ユーザは、記録再生装置１を通常動作させる前に、図７（ｂ）で示すようなユーザ選択画面に従って、これからリモコン装置３を操作するユーザを設定しておく。これにより、各ユーザは、所望の操作ボタンを操作することによって所望の処理を記録再生装置１に実行させることができる。
【００６９】
更に、各操作ボタンに登録する機能としては、図２（ｂ）に示したように、明るさ調整処理、ホワイトバランス調整処理、鮮明さ調整処理および明暗調整処理等に限られず、例えば、各機器が隠しコマンドとして有している機能も、所望の操作ボタンに対応して実行できるようにしてもよい。
【００７０】
上述した実施の形態では、記録媒体としてカセットテープを利用する記録再生装置１について説明したが、各種のメニュー画面を自身の装置の表示部に表示させる装置、または各種のメニュー画面を接続された液晶テレビ２に表示できる装置であればよい。また、リモコン装置３に大画面の表示部３５を設ける構成としてもよく、この場合には、図４（ａ）に示すような操作ボタン登録画面をリモコン装置３で表示させ、リモコン装置３に表示された操作ボタン登録画面に従って、所望の操作ボタンに所望の機能を割り当てることができる。
【図面の簡単な説明】
【００７１】
【図１】本発明に係る電気機器としての記録再生装置および液晶テレビの構成例を示すブロック図である。
【図２】（ａ）はビデオ登録テーブルの構成例を示す模式図、（ｂ）はテレビ登録テーブルの構成例を示す模式図である。
【図３】リモコン装置の概略構成例を示す模式図である。
【図４】ユーザ登録情報を説明するための模式図である。
【図５】本発明の液晶テレビを操作するリモコン装置の各ボタンに処理命令を登録する処理手順を示すフローチャートである。
【図６】本発明の液晶テレビにおけるリモコン装置による操作時の処理手順を示すフローチャートである。
【図７】複数のユーザに対応するユーザ登録処理を説明するための模式図である。
【符号の説明】
【００７２】
１  記録再生装置（電気機器）
１０  制御部（実行手段、作成手段、受付手段、登録手段、出力手段、操作者情報受付手段）
１１  ＲＯＭ（記憶手段）
１１ａ  ビデオ登録テーブル（テーブル）
１４  リモコンコード解析部（コード受付部）
２  液晶テレビ（電気機器）
２０  制御部（実行手段、作成手段、受付手段、登録手段、操作者情報受付手段）
２１  ＲＯＭ（記憶手段）
２１ａ  テレビ登録テーブル（テーブル）
２４  リモコンコード解析部（コード受付部）
２７  モニタ部（表示手段）
３  リモコン装置（遠隔操作機）
【図１】
2005341318.tif 000003
【図２】
2005341318.tif 000004
【図３】
2005341318.tif 000005
【図４】
2005341318.tif 000006
【図５】
2005341318.tif 000007
【図６】
2005341318.tif 000008
【図７】
2005341318.tif 000009